(57)【要約】【課題】  切り替え用のキーやスイッチの操作が不要で、ハンズフリー通話とハンドセット通話の切り替えが容易で使い勝手のよい通信端末装置を得る。【解決手段】  ハンドセット通話とハンズフリー通話を切り替えて行うことが可能な通信端末装置であって、ハンドセット通話に使用するハンドセット用スピーカー、ハンズフリー通話に使用するハンズフリー用スピーカー、ハンドセット用／ハンズフリー用の切り替え可能なマイク、および人体感知手段を備え、前記人体感知手段により、前記ハンドセット用スピーカーから所定の短距離以内の人体を感知した場合にハンドセット通話に切り替え、前記所定の短距離以内に人体を感知しない場合に、ハンズフリー通話に切り替えるよう制御する。【選択図】          図１
2008219245.tif 000002
【特許請求の範囲】
【請求項１】
ハンドセット通話とハンズフリー通話を切り替えて行うことが可能な通信端末装置において、
前記ハンドセット通話時に受話音声を出力するハンドセット用スピーカー、
前記ハンズフリー通話時に受話音声を出力するハンズフリー用スピーカー、
前記ハンドセット用およびハンズフリー用に切り替えて送話音声を集音するマイク、
前記ハンドセット用スピーカーから所定の短距離以内の人体を感知可能な人体感知手段、
前記人体感知手段により、前記所定の短距離以内に人体を感知した場合に前記ハンドセット通話に切り替え、前記所定の短距離以内に人体を感知しない場合に前記ハンズフリー通話に切り替えるよう制御する制御部
を備え、
前記制御部は、前記ハンドセット通話時には、前記ハンドセット用スピーカーを動作させ前記ハンズフリー用スピーカーを非動作とし、前記マイクをハンドセット用に切り替え、前記ハンズフリー通話時には、前記ハンドセット用スピーカーを非動作とし前記ハンズフリー用スピーカーを動作させ、前記マイクをハンズフリー用に切り替えることを特徴とする通信端末装置。
【請求項２】
さらに、ＴＶ電話用のカメラモジュールを備え、
前記制御部は、前記ハンドセット通話時には、前記カメラモジュールを非動作とし、前記ハンズフリー通話時には、前記カメラモジュールを動作させてＴＶ電話通話に切り替えるよう制御することを特徴とする請求項１に記載の通信端末装置。
【請求項３】
前記人体感知手段は、パルス波送信機およびパルス波受信機を含み構成され、
前記制御部は、前記パルス波送信機によりパルス波が送信されてから前記パルス波受信機により前記パルス波が受信されるまでの時間が所定時間より短い場合に、前記所定の短距離以内に人体を感知したと判断し、それ以外の場合に前記所定の短距離以内に人体を感知しないと判断することを特徴とする請求項１または２に記載の通信端末装置。
【請求項４】
前記制御部は、当該通信端末装置が通話状態の場合に、前記制御を繰り返し行うことを特徴とする請求項１または２に記載の通信端末装置。
【発明の詳細な説明】
【技術分野】
【０００１】
本発明は、ハンドセット通話とハンズフリー通話の可能な通信端末装置に関し、特に、これらの通話の切換技術に関するものである。
【背景技術】
【０００２】
ハンドセット電話機としてもハンズフリー電話機としても使用できる従来の携帯電話機としては、例えば、特許文献１に記載されてものが知られている。特許文献１に記載された携帯電話機は、スピーカーに備えた蓋に切換スイッチを設けることにより、ハンズフリー電話機として用いるときは蓋を開けてハンズフリー電話機へ切り替え、ハンドセット電話機として用いるときは蓋を閉じてハンドセット電話機へ切り替える構成であった。
【０００３】
また、上記のようにスピーカーに備えた蓋をスイッチとする構成の他に、切り替え用のキーを設け、これを押下することにより切り替えを実現する構成がある。
【０００４】
【特許文献１】特開２００１−２８５４２８
【発明の開示】
【発明が解決しようとする課題】
【０００５】
上述の従来の携帯電話機においては、ハンズフリー通話とハンドセット通話の切り替えを行う際に、筐体に設けられたスイッチ（蓋）やキーを操作して使用者が手作業で切り替えを行う必要がある。しかし、近年携帯電話機は種々の機能を搭載することが要求され、キーやスイッチが増加する傾向にあることから、限られた容量にキーやスイッチを配置するためのスペースを確保することが困難であるという問題があった。また、多くのキーやスイッチが存在することにより、ハンズフリー通話とハンドセット通話の切り替え用のキーやスイッチを認識しづらく、使い勝手が悪いという問題がある。
【０００６】
本発明は、上述の課題に鑑みてなされたものであり、切り替え用のキーやスイッチを不要とし、ハンズフリー通話とハンドセット通話の切り替えが容易で使い勝手のよい通信端末装置の提供を目的とする。
【課題を解決するための手段】
【０００７】
第１の発明に係る通信端末装置は、ハンドセット通話とハンズフリー通話を切り替えて行うことが可能なものであって、前記ハンドセット通話時に受話音声を出力するハンドセット用スピーカーと、前記ハンズフリー通話時に受話音声を出力するハンズフリー用スピーカーと、前記ハンドセット用およびハンズフリー用に切り替えて送話音声を集音するマイクと、前記ハンドセット用スピーカーから所定の短距離以内の人体を感知可能な人体感知手段と、前記人体感知手段により、前記所定の短距離以内に人体を感知した場合に前記ハンドセット通話に切り替え、前記所定の短距離以内に人体を感知しない場合に前記ハンズフリー通話に切り替えるよう制御する制御部とを備え、前記制御部が、前記ハンドセット通話時には、前記ハンドセット用スピーカーを動作させ前記ハンズフリー用スピーカーを非動作とし、前記マイクをハンドセット用に切り替え、前記ハンズフリー通話時には、前記ハンドセット用スピーカーを非動作とし前記ハンズフリー用スピーカーを動作させ、前記マイクをハンズフリー用に切り替えるようにしたものである。
【発明の効果】
【０００８】
第１の発明によれば、ハンドセット用スピーカーから所定の短距離以内の人体を感知可能な人体感知手段により、前記所定の短距離以内に人体を感知した場合にハンドセット通話に切り替え、前記所定の短距離以内に人体を感知しない場合にハンズフリー通話に切り替えるよう制御するようにしたので、キーやスイッチなどの操作が不要となり、ハンドセット通話とハンズフリー通話の切り替えの使い勝手をよくすることができる。
【発明を実施するための最良の形態】
【０００９】
実施の形態１．
図１は、本発明の実施の形態１に係る通信端末装置（携帯電話機）の構成を示すブロック図である。１はパルス波送信機、２はパルス波送信機１から送出したパルス波の反射波を受信するパルス波受信機である。パルス波送信機１およびパルス波受信機２は、パルス波の送信と反射波の受信間隔を測定することで、所定の距離以内の人体を感知可能な人体感知手段である。図１において別々の機器として構成しているが、これらが一体となったパルス波送受信機によって代用することも可能である。
【００１０】
３はマイクロプロセッサであり、図示しない記憶装置に記憶された制御プログラムに基づく命令を出力してパルス波送信機１を動作させるとともに、パルス波受信機２で観測した反射波の情報を処理する。また、本携帯電話機は、ハンドセット電話機としてもハンズフリー電話機としても使用可能として、ハンドセット通話時に通話相手からの音声を出力するために使用するハンドセット用スピーカー４と、ハンズフリー通話時に通話相手からの音声を出力するために使用するハンズフリー用スピーカー５、使用者の音声を集音するマイク６を備える。そして、マイクロプロセッサ３の制御により、ハンドセット用スピーカー４とハンズフリー用スピーカー５の切り替え、マイク６の集音感度、もしくは図示しない音声増幅器の増幅率の切り替えを行うことで、ハンドセット通話とハンズフリー通話の切り替えを行う。この他、本携帯電話機には、プログラムやデータ等を記憶する記憶装置、情報を表示するディスプレイ部、使用者がダイヤル等の操作を行うキー操作部、無線を送受信する無線通信部などが具備されるが、説明を省略する。
【００１１】
本発明の実施の形態１に係る携帯電話機の外観図を図２に示す。現在、携帯電話機の主な形状としては、ストレート型、二つ折り型、スライド型などがあるが、本実施の形態１では、ストレート型を例にとって説明する。図１と同じ符号が付されたものは同じものを示す。
【００１２】
図２において、上記で説明したパルス波送信機１とパルス波受信機２は、ハンドセット通話時に使用者の耳が接するように使用されるハンドセット用スピーカー４に隣接して設けている。そして、パルス波送信機１のパルス送出口とパルス波受信機２のパルス観測口を、ハンドセット用スピーカー４の開口部と略同一面に隣接して配置する。このように配置することによって、ハンドセット通話時には使用者の耳がパルス波送信機１のパルス送出口とパルス波受信機２のパルス観測口に対して非常に近い距離となることから、パルス波送信機１から送出したパルス波は使用者の耳またはその近傍で反射し、反射波はパルス波受信機２により非常に短時間で観測される。すなわち、パルス波の観測時間が短時間な場合は、使用者がハンドセット通話を望む端末の持ち方をしていると判断して、ハンドセット用スピーカー４のみに通話相手側の音声を出力するように制御することができる。
【００１３】
以上のことから、使用者がハンドセット通話かハンズフリー通話のどちらを望む持ち方をしているのかを測定し判断するためには、パルス波送信機１とパルス波受信機２はハンドセット用スピーカー部４と隣接して配置することが最も効果的である。
【００１４】
次に本発明の実施の形態１に係る携帯電話機の動作を図３のフローチャートに基づき説明する。まず、使用者が通話を開始すると、ステップＳＴ１１でパルス波送信機１からパルス波を送出する。ステップＳＴ１２において、送信したパルス波が使用者に当たり、反射したパルス波をパルス波受信機２が観測したかを判断し、観測した場合（ステップＳＴ１２：Ｙ）、パルス波の送信から反射波の受信までにかかった時間Ｔにより携帯電話機と使用者との距離を推定する。すなわち、ハンドセット通話と呼ぶ携帯電話機を直接耳にあてて通話を行う場合は、使用者と携帯電話機とはほぼ密着している状態であるため、非常に短距離であり、パルス波を送出してから反射波を受信するまでの時間Ｔは極めて短い時間となる。逆に、ハンズフリー通話と呼ぶ携帯電話機を耳にあてずに通話を行う場合は、携帯電話機は使用者から離れているため、距離は長くなり、時間Ｔは使用者との距離に応じて長くなる。
【００１５】
このことから、ステップＳＴ１３において、パルス波を送信してから受信するまでの時間Ｔを規定時間ｔと比較し、時間Ｔが規定時間ｔ秒以内であれば（ステップＳＴ１３：Ｙ）、携帯電話機と使用者とが密着状態である（もしくは至近距離である）と判断して、ハンドセット通話を行えるように制御する。すなわち、ハンドセット用スピーカー４が動作中であればそのまま、非動作であればハンドセット用スピーカー４へ切り替えて通話相手側音声を出力する（ステップＳＴ１４）。また、時間Ｔが規定時間ｔ秒より長ければ（ステップＳＴ１３：Ｎ）、携帯電話機と使用者とが離れている（至近距離でない）と判断して、ハンズフリー通話を行えるように、ハンズフリー用スピーカー５へ相手側音声を出力する（ステップＳＴ１６）。
【００１６】
一方、ステップＳＴ１２において、反射したパルス波をパルス波受信機２が観測できなかった場合（ステップＳＴ１２：Ｎ）も、携帯電話機と使用者とが離れていると判断して、ハンズフリー通話を行なえるように、ハンズフリー用スピーカー５へ相手側音声を出力するよう制御する（ステップＳＴ１６）。
【００１７】
ハンドセット用スピーカー４へ相手側音声を出力（ステップＳＴ１４）、もしくはハンズフリー用スピーカー５へ相手側音声を出力（ステップＳＴ１６）した後は、ステップＳＴ１５で通話終了か否かを判断し、終了でなければ（ステップＳＴ１５：Ｎ）、再度ステップＳＴ１１へ戻りパルス波送信機１からパルス波を送出する処理を行ない、以下のステップを通話終了と判断される（ステップＳＴ１５：Ｙ）まで繰り返す。
【００１８】
これによって、使用者が通話の途中で携帯電話機の持ち方を変えた場合でも、ハンドセット用スピーカー４とハンズフリー用スピーカー５の出力を、使用者の持ち方に適した状態へ切り替えることができる。尚、ステップＳＴ１２、もしくはステップＳＴ１３で判断した結果、状態が以前の状態と同じであれば、ステップＳＴ１４、またはステップＳＴ１６による切り替え処理は省略できる。
【００１９】
上記の動作説明において、「使用者が端末に密着しているか」を確認する方法（ステップＳＴ１３に対応）として、パルス波を送信してから受信するまでの時間Ｔを計測し、これが規定時間ｔ秒以内か否かを判断するとしている。ここで、例として、パルス波に超音波を利用し、使用者が端末から５センチ以内の距離にいる場合を密着している状態と判断する場合の時間ｔの設定方法を説明する。
【００２０】
パルス波に超音波を利用する場合、超音波が空気中を伝搬する速度は、音速３３０メートル／秒である。使用者と端末との距離を５センチとすると、パルス波の往復距離は０．１メートルであるから、パルス波を送信して反射波を受信するまでの時間は、１／３３００秒（約０．０００３秒）となる。すなわち、時間ｔを１／３３００秒と設定し、計測時間Ｔがｔ（＝１／３３００）秒以内であれば、使用者が端末からの距離が５センチ以内にいる（密着している）と判断することができる。
【００２１】
以上によれば、ハンドセット通話かハンズフリー通話かの切り替えを使用者の携帯電話機の持ち方（携帯電話機と使用者との距離）によって自動で切り替えるため、使用者の切り替え操作を行うことが不要になることから、操作性が向上する。また、切り替え操作に必要であったキーやスイッチが不要となるため、他のキーに対して多くの配置スペースを確保できる効果がある。
【００２２】
実施の形態２．
図４は、本発明の実施の形態２の携帯電話機を示すブロック図である。図１と同じ符号を付したものは同じものを示すので説明を省略する。７は自画像撮影用のカメラモジュールであり、本携帯電話機は、通話時に使用者の画像を撮影して通話相手側へ送信し、通話相手側から送られる相手側の画像を受信して図示しない表示部へ表示することによって、ＴＶ電話を行う。ＴＶ電話を行う場合は、実施の形態１のハンズフリー通話と同様に、ハンズフリー用スピーカー５から相手側音声が出力され、マイク６は離れた使用者の声を集音できるよう高感度となるか、音声増幅器により使用者の声を増幅するよう制御する。本実施の形態２の携帯電話機においても、実施の形態１の図２に示すのと同様に、パルス波送信機１およびパルス波受信機２は、ハンドセット用スピーカー４に隣接して設ける。
【００２３】
次に本発明の実施の形態２に係る携帯電話機の動作を図５のフローチャートに基づき説明する。まず、使用者が通話を開始すると、ステップＳＴ２１でパルス波送信機１からパルス波を送出する。ステップＳＴ２２において、送信したパルス波が使用者に当たり、反射したパルス波をパルス波受信機２が観測したかを判断し、観測した場合（ステップＳＴ２２：Ｙ）、パルス波の送信から反射波の受信までにかかった時間Ｔを規定時間ｔと比較し（ステップＳＴ２３）する。計測時間Ｔが規定時間ｔ秒以内であれば（ステップＳＴ２３：Ｙ）、携帯電話機と使用者とが密着状態である（もしくは至近距離である）と判断して、ハンドセット通話を行えるように、ハンドセット用スピーカー４へ相手側音声を出力するよう切り替える（ステップＳＴ２４）とともに、カメラモジュール７をＯＦＦ（非動作）にして画像のない音声通話に切り替える（ステップＳＴ２５）。また、計測時間Ｔが規定時間ｔ秒より長ければ（ステップＳＴ２３：Ｎ）、携帯電話機と使用者とが離れている（至近距離でない）と判断して、ハンズフリー通話を行えるように、ハンズフリー用スピーカー５へ相手側音声を出力するよう切り替える（ステップＳＴ２６）とともに、カメラモジュール７をＯＮ（動作状態）にして、ＴＶ電話通話に切り替える（ステップＳＴ２７）。
【００２４】
一方、ステップＳＴ２２において、反射したパルス波をパルス波受信機２が観測できなかった場合（ステップＳＴ２２：Ｎ）も、携帯電話機と使用者とが離れていると判断して、ハンズフリー通話を行なえるように、ハンズフリー用スピーカー５へ相手側音声を出力するよう切り替える（ステップＳＴ２６）とともに、カメラモジュール７をＯＮ（動作状態）にして、ＴＶ電話通話に切り替える（ステップＳＴ２７）。
【００２５】
ハンドセット用スピーカー４へ相手側音声を出力（ステップＳＴ２４）およびカメラモジュール７のＯＦＦ（ステップＳＴ２５）、もしくはハンズフリー用スピーカー５へ相手側音声を出力（ステップＳＴ１６）およびカメラモジュール７のＯＮ（ステップＳＴ２７）を行なった後は、ステップＳＴ２８で通話終了か否かを判断し、終了でなければ（ステップＳＴ２８：Ｎ）、再度ステップＳＴ２１へ戻りパルス波送信機１からパルス波を送出する処理を行ない、以下のステップを通話終了と判断される（ステップＳＴ２８：Ｙ）まで繰り返す。
【００２６】
これによって、使用者が通話の途中で携帯電話機の持ち方を変えた場合でも、ハンドセット用スピーカー４とハンズフリー用スピーカー５の出力、およびカメラモジュール７のＯＮ／ＯＦＦを、使用者の持ち方に適した状態へ切り替えることができる。尚、ステップＳＴ２２、もしくはステップＳＴ２３で判断した結果、状態が以前の状態と同じであれば、ステップＳＴ２４、ＳＴ２５、ＳＴ２６、ＳＴ２７による切り替え処理は省略できる。
【００２７】
以上によれば、ハンドセット通話かＴＶ電話通話かの切り替えを使用者の携帯電話機の持ち方（携帯電話機と使用者との距離）によって自動で切り替えるため、使用者の切り替え操作を行うことが不要になることから、操作性が向上する。また、切り替え操作に必要であったキーやスイッチが不要となるため、他のキーに対して多くの配置スペースを確保できる効果がある。
【００２８】
尚、上記実施の形態では、携帯電話機（ハンドセット用スピーカー付近）と使用者との距離の測定に、人体感知手段としてパルス波送信機１、パルス波受信機２を使用したが、代用として赤外線センサ等のその他のセンサにより、携帯電話機と使用者とが密着しているか（至近距離にあるか）否かを判断し、ハンドセット用スピーカー４、ハンズフリー用スピーカー５、マイク６、カメラモジュール７等に同様の制御を行うことによっても同様の効果を得ることができる。
【図面の簡単な説明】
【００２９】
【図１】本発明の実施の形態１に係る携帯電話機のブロック図である。
【図２】本発明の実施の形態１に係る携帯電話機の外観図である。
【図３】本発明の実施の形態１に係る携帯電話機の動作フロー図である。
【図４】本発明の実施の形態２に係る携帯電話機のブロック図である。
【図５】本発明の実施の形態２に係る携帯電話機の動作フロー図である。
【符号の説明】
【００３０】
１  パルス波送信機、２  パルス波受信機、３  マイクロプロセッサ、
４  ハンドセット用スピーカー、５  ハンズフリー用スピーカー、６  マイク、
７  カメラモジュール。
【図１】
2008219245.tif 000003
【図２】
2008219245.tif 000004
【図３】
2008219245.tif 000005
【図４】
2008219245.tif 000006
【図５】
2008219245.tif 000007